(57)【要約】      （修正有）【課題】発煙筒底面の発煙用液体をこぼさずに再利用することができる気流検査器を提供する。【解決手段】気流検査器１０の発煙筒１２の底面に回収口４９を設け、回収口４９と液体タンク１３とを回収パイプ５３によって接続し、液体タンク１３と、発煙装置１４とを供給パイプ５４によって接続し、回収用逆止弁５１と供給用逆止弁５２とによって、弾性部２２の押圧を解除して弾性部２２に吸引力を発生させたときに、回収口４９から、発煙筒１２の底面上の発煙用液体４５と大気中の空気とが、液体タンク１３の内部に吸引されるようにした。気流検査器１０を傾けても発煙筒１２底面上の発煙用液体４５は零れず、液体タンク１３に回収して再使用することができる。【選択図】図２
2015059871.tif 000002
【特許請求の範囲】
【請求項１】
内部が発煙用液体と空気のいずれか一方又は両方から成る流体で充満される液体タンクと、
発煙筒と、
前記発煙筒の内側に配置された発煙装置とを有し、
前記液体タンクに設けられた接続口から前記流体を供給し、前記液体タンクから前記流体を吸引する送液装置とを有し、
前記液体タンクに設けられた流出口が供給パイプによって前記発煙装置に接続され、
前記送液装置によって供給された前記流体によって前記液体タンク内の圧力が高められ、前記液体タンク内に配置された前記流体中の前記発煙用液体が前記供給パイプを通って前記液体タンクから前記発煙装置に移動され、移動された前記発煙用液体は、前記発煙装置に設けられた加熱装置によって加熱され、蒸発して蒸気を発生させ、前記蒸気は、前記発煙筒の放出口から放出される気流検査器であって、
前記発煙装置は前記発煙筒の内側に配置された有底の蒸発装置を有し、
前記発煙筒の底部に設けられた回収口と、
前記液体タンクに設けられた流入口と、
前記回収口と前記流入口とを接続する回収パイプと、
前記回収パイプには、前記流入口から前記回収口へは前記流体が流れないようにする回収用逆止弁が設けられ、
前記発煙筒の底部に溜まろうとする前記発煙用液体は、前記回収口から前記回収パイプ内に入って前記流入口から前記液体タンク内に戻るようにされた気流検査器。
【請求項２】
前記流体を供給した前記送液装置は前記液体タンク内の前記流体を吸引して前記液体タンクを負圧にし、負圧にされた前記液体タンクは前記気流検査器の周囲の雰囲気から空気を吸引するように構成された請求項１記載の気流検査器であって、
前記供給パイプには、前記発煙装置から前記流出口へは前記流体が流れないようにする供給用逆止弁が設けられ、
前記送液装置に吸引される前記空気は、前記回収パイプを通って発煙筒の底部に位置する前記発煙用液体と共に、前記液体タンクに吸引される請求項１記載の気流検査器。
【請求項３】
前記放出口を上方に向けたときに、前記接続口は、前記流出口よりも上方に位置するように構成された請求項１又は請求項２のいずれか１項記載の気流検査器。
【発明の詳細な説明】
【技術分野】
【０００１】
本発明は気流検査器の技術分野に係り、特に、液体を蒸発させて擬似的な煙を発生させる気流検査器に関する。
【背景技術】
【０００２】
作業場内の温湿度や気流の状態は、有害物質の発生量や拡散の状況などを把握する場合に重要なデータとなる。また建築物内における換気設備や局所排気装置の性能を維持するためには、常に点検・検査を行って、適切なメンテナンスを実施する必要がある。
【０００３】
そこで室内環境や大気環境分析を行う場合にも測定場所の状況を把握するために、気流の方向や速度を確認する気流点検が行われる。
そのような気流点検を行う方法の一つとして、煙・ミストなどを用いて空気の流れを可視化する発煙法が利用されており、古くはタバコや線香の煙が用いられ、また、ドライアイスを用いて白煙（水滴）を得る方法も利用されている。
【０００４】
しかしながら、タバコや線香には、裸火を使用するという欠点があり、ドライアイスについては、通常の事業所においての長期保管は困難であり、検査のたびに購入するのは面倒である。
このため火気を使用しないで擬似的な煙を発生させる発煙管と呼ばれる気流検査器が広く利用されており、引火の危険がなく、装置も安価でかつ商用電源に接続する必要はない、という優れた特長がある。
【０００５】
しかしながら、発生する煙中に塩化水素が含まれている場合には煙に刺激性があり、金属部品を使用した機器等を腐食する恐れがある。
そのため、最近では、プロピレングリコールを主成分として発生させる蒸気を擬似的な煙として用いる気流検査器が用いられている。
【０００６】
図３の符号１００は、従来技術の気流検査器を示している。
この気流検査器１００は、液体タンク１１３と、発煙筒１１２とを有している。
発煙筒１１２の内部には発煙装置１３１が配置されており、送液装置１２２によって、液体タンク１１３の内部に空気が送風されると、液体タンク１１３内に配置された発煙用液体(プロピレングリコールを主成分とする液体)１４０の一部が発煙装置１３１に移動される。
【０００７】
発煙装置１３１には、加熱装置１３２が設けられている。加熱装置１３２は予め通電されて昇温されており、発煙装置１３１に移動された発煙用液体１４０は、発煙筒１１２の内部の位置で加熱装置１３２によって加熱され、蒸発して蒸気１３７を発生させる。
【０００８】
発煙装置１３１で生成された蒸気１３７は発煙装置１３１の上端から発煙装置１３１の外部に移動し、加熱装置１３２で加熱された空気と共に上昇し、発煙筒１１２の上端の放出口１３６から、気流検査器１００の外部に放出される。
そのとき、蒸気１３７によって、白色の煙が放出口１３６から放出されたように見える。
プロピレングリコールを主成分とする発煙用液体１４０の蒸気には、塩化水素は含有されておらず、刺激性や金属等に対する腐食の少ない安全な気流検査を行うことができる。
【０００９】
しかしながら、送液装置１２２から多量の空気が液体タンク１１３の内部に送られると、多量の空気に応じた量の発煙用液体１４０が液体タンク１１３から発煙装置１３１に供給され、多すぎると発煙装置１３１から溢れ出る。
溢れ出た発煙用液体１４０は発煙筒１１２の底面上に流れ落ち、液溜まり１４５を形成して発煙筒１１２の内部にとどまってしまう。
【００１０】
また、発煙筒１１２の温度は、発煙用液体１４０の蒸発温度よりも低温であり、発煙装置１３１から放出された蒸気が発煙筒１１２の内壁面に接触すると、接触した部分で凝縮して液滴１４４が形成され、成長して自重で落下すると、発煙筒１１２の底面上に液滴１４４による液溜まり１４５が形成される。
【００１１】
発煙筒１１２の底面は液体タンク１１３に固定されており、気流検査器１００は手に持って移動され、発煙筒１１２の先端は、気流が存すると考えられる方向に向けられるので、発煙筒１１２が傾けられて液溜まり１４５が発煙筒１１２の先端から零れ落ちてしまう場合がある。
このような場合では、下方にある設備を濡らしてしまうことがある。
【００１２】
また、零れ落ちがなく作業が終了しても、液溜まり１４５の発煙用液体１４０を液体タンク１１３内に戻すことは困難であり、液溜まり１４５は廃棄されていたので無駄が生じるという不都合がある。
【先行技術文献】
【特許文献】
【００１３】
【特許文献１】特開昭６１−４０３８０号公報
【発明の概要】
【発明が解決しようとする課題】
【００１４】
本発明は上記従来技術の不都合を解決するために創作されたものであり、発煙用液体の零れ落ちが無く、また、発煙筒の底面に落ちた発煙用液体を有効に活用することができる技術を提供することにある。
【課題を解決するための手段】
【００１５】
上記課題を解決するため、本発明は、内部が発煙用液体と空気のいずれか一方又は両方から成る流体で充満される液体タンクと、発煙筒と、前記発煙筒の内側に配置された発煙装置とを有し、前記液体タンクに設けられた接続口から前記流体を供給し、前記液体タンクから前記流体を吸引する送液装置とを有し、前記液体タンクに設けられた流出口が供給パイプによって前記発煙装置に接続され、前記送液装置によって供給された前記流体によって前記液体タンク内の圧力が高められ、前記液体タンク内に配置された前記流体中の前記発煙用液体が前記供給パイプを通って前記液体タンクから前記発煙装置に移動され、移動された前記発煙用液体は、前記発煙装置に設けられた加熱装置によって加熱され、蒸発して蒸気を発生させ、前記蒸気は、前記発煙筒の放出口から放出される気流検査器であって、前記発煙装置は前記発煙筒の内側に配置された有底の蒸発装置を有し、前記発煙筒の底部に設けられた回収口と、前記液体タンクに設けられた流入口と、前記回収口と前記流入口とを接続する回収パイプと、前記回収パイプには、前記流入口から前記回収口へは前記流体が流れないようにする回収用逆止弁が設けられ、前記発煙筒の底部に溜まろうとする前記発煙用液体は、前記回収口から前記回収パイプ内に入って前記流入口から前記液体タンク内に戻るようにされた気流検査器である。
また、本発明は、前記流体を供給した前記送液装置は前記液体タンク内の前記流体を吸引して前記液体タンクを負圧にし、負圧にされた前記液体タンクは前記気流検査器の周囲の雰囲気から空気を吸引するように構成された上記記載の気流検査器であって、前記供給パイプには、前記発煙装置から前記流出口へは前記流体が流れないようにする供給用逆止弁が設けられ、前記送液装置に吸引される前記空気は、前記回収パイプを通って発煙筒の底部に位置する前記発煙用液体と共に、前記液体タンクに吸引される気流検査器である。
また、本発明は、前記放出口を上方に向けたときに、前記接続口は、前記流出口よりも上方に位置するように構成された気流検査器である。
【発明の効果】
【００１６】
本発明によれば、発煙筒内に零れた発煙用液体や、凝縮して液滴となった発煙用液体はタンク内に戻るので、零れ落ちが無く、また、発煙用液体の無駄が生じない。
【図面の簡単な説明】
【００１７】
【図１】本発明の気流検査器を説明するための図
【図２】その気流検査器による発煙を説明するための図
【図３】従来技術の気流検査器の例
【発明を実施するための形態】
【００１８】
図１の符号１０は、本発明の気流検査器を示している。
この気流検査器１０は筺体１１を有している。筺体１１の内部には、内部中空の液体タンク１３が配置されており、筺体１１の外壁面には、発煙筒１２と、送液装置２０とが設けられている。
【００１９】
発煙筒１２は筒状であり、内部は中空になっている。発煙筒１２の両端のうち一端は筺体１１の外壁面に固定され、外壁面によって閉塞されており、他端には気流検査器１０の外部雰囲気と、発煙筒１２の内部雰囲気とを接続する放出口３６が設けられている。
【００２０】
発煙筒１２の内部には、発煙装置１４が配置されている。
発煙装置１４は、筒状の蒸発装置３１と、蒸発装置３１の外側に位置する加熱装置３２とを有しており、加熱装置３２の内部には線状の抵抗発熱線が設けられている。抵抗発熱線は蒸発装置３１の外周に巻き回されるように配置されており、その外側は断熱材で覆われている。従って、この加熱装置３２は蒸発装置３１の周囲を覆う筒にされている。
【００２１】
筺体１１の内部には、交換可能な乾電池又は交換可能な充電池が装着された電源装置５６が配置されており、加熱装置３２は、電源装置５６によって通電されると発熱し、蒸発装置３１を加熱するように構成されている。
【００２２】
加熱され、昇温した蒸発装置３１の中空部分３３に発煙用液体が供給されると、蒸発装置３１の中空部分３３に位置する発煙用液体は、加熱され、蒸発温度に達すると、蒸発して蒸気を発生させる。
【００２３】
ここで、発煙装置１４への送液装置２０による発煙用液体の供給を説明すると、先ず、送液装置２０は、内部中空の弾性部２２を有している。
液体タンク１３には、接続口２４が設けられており、弾性部２２の内部と接続口２４とは、送液パイプ２１によって接続されている。
【００２４】
ここでは、液体タンク１３の内部には発煙用液体４０が規定量だけ配置されており、少なくとも規定量以下の場合は、液体タンク１３の内部の発煙用液体４０よりも上方位置には、空気４１が充満されている。
【００２５】
弾性部２２の内部は、流体で満たされている。弾性部２２は、弾性を有する材料で形成されており、押圧力が印加されると体積が小さくなるように圧縮変形し、小さくなった体積の分の流体が、液体タンク１３に注入される。
【００２６】
液体タンク１３は、変形しない材料、例えば硬質のプラスチックスや金属等の非弾性材料で構成されており、大気圧と同圧であった液体タンク１３の内部に流体が供給されると、内部圧力が上昇し、大気圧よりも高圧になる。
【００２７】
液体タンク１３には流出口５８が設けられており、流出口５８は、供給パイプ５４によって蒸発装置３１の内部の中空部分３３に接続されている。ここでは、蒸発装置３１には供給口４８が設けられており、流出口５８は供給パイプ５４によって供給口４８に接続されることで中空部分３３に接続されている。
【００２８】
流出口５８は、発煙用液体４０に浸漬される位置に設けられており、従って、液体タンク１３の内部の圧力が気流検査器１０の周囲の大気圧よりも上昇すると、液体タンク１３内部の発煙用液体４０が圧力によって押圧され、供給パイプ５４を通って流出口５８から蒸発装置３１に供給される。
蒸発装置３１の底面は閉塞され、上端は、発煙筒１２の放出口３６の方向に向けられており、蒸発装置３１に供給された発煙用液体は、蒸発装置３１の底部に溜まる。
【００２９】
図２の符号４２は、蒸発装置３１の底部上に溜まった発煙用液体を示している。
気流検査器１０は、気流を測定する空間の下方に配置され、放出口３６は上方に向けられている。発煙用液体４０、４２は、プロピレングリコールを主成分とした低沸点の液体であり、蒸発装置３１内の発煙用液体４２が、加熱装置３２によって加熱されて蒸発温度に到達すると蒸発し、蒸気が生成される。
【００３０】
蒸発装置３１の上端３５は、発煙筒１２の内部に配置され、放出口３６よりも下方に位置しており、加熱装置３２の周囲には発煙筒１２が位置し、加熱装置３２の周囲は発煙筒１２によって覆われて、人体や他の機器に接触しないようにされている。
蒸発装置３１で生成された蒸気は上昇し、蒸発装置３１の上端３５から出て、放出口３６から気流検査器１０の外部雰囲気中に放出される。
図２の符号３７は、放出口３６から放出された蒸気を示している。
【００３１】
加熱装置３２の周囲の空気は加熱装置３２によって加熱されており、膨張して放出口３６から蒸気３７と一緒に放出されており、加熱された空気の上昇に伴って蒸気３７も大気中で上昇し、煙が上昇移動するように見える。この煙は放出口３６よりも上方位置の気流の流れによって移動方向が変わり、気流の向きや強さを測定することができる。
【００３２】
蒸気３７が放出されるときには、蒸発装置３１の上端から出た蒸気の一部は、放出口３６に近い発煙筒１２の内壁面４３に衝突し、凝縮して内壁面４３に発煙用液体４４の液滴となって付着する。
発煙装置１４は、内壁面４３から離間して位置しており、蒸発装置３１の外周及び加熱装置３２の外周と、発煙筒１２の内壁面４３との間には隙間が形成されている。
【００３３】
発煙用液体４４の液滴は、この隙間により、加熱装置３２とは接触しないで内壁面４３を伝って落下し、発煙筒１２の底面に到達する。
発煙筒１２の底面は上述したように閉塞されているが、内壁面４３と発煙装置１４との間の隙間の部分の発煙筒１２の底面には、回収口４９が形成されている。
【００３４】
回収口４９は、回収パイプ５３によって、液体タンク１３の流入口５７に接続されており、蒸発装置３１の上端から溢れ出た発煙用液体や、内壁面４３を伝って落下した発煙用液体４４の液滴は、底面に設けられた傾斜等によって、回収口４９に導かれる。ここでは加熱装置３２の抵抗発熱線とは接触しないようにされている。
【００３５】
回収パイプ５３には、回収用逆止弁５１が設けられており、回収口４９から流入口５７へ向かう方向の流体の流れは許容し、その逆に、流入口５７から回収口４９へ向かう方向の流体の流れは阻止するようになっている。
【００３６】
回収口４９は、流入口５７よりも上方に位置しており、回収口４９に導かれた発煙用液体は、重力によって、回収口４９から流入口５７へ回収用逆止弁５１を通って液体タンク１３の内部に移動することができる。
【００３７】
この場合、気流検査器１０を逆さまにしても、液体タンク１３内の発煙用液体４０は、回収用逆止弁５１によって回収パイプ５３内の流れが阻止されるから、液体タンク１３内の発煙用液体４０が、回収口４９から流出することはない。
【００３８】
また、弾性部２２が圧縮変形して液体タンク１３の内部の圧力が大気圧よりも上昇し、液体タンク１３内の流体が、流入口５７から回収口４９に向かって流れようとしたときでも、回収用逆止弁５１は、流入口５７から回収口４９に向かう流体の流れを阻止するから、空気や発煙用液体４０が回収口４９から噴出することがない。
【００３９】
ここでは、回収パイプ５３に設けられた回収用逆止弁５１は、回収口４９側の圧力が流入口５７の圧力よりも所定値以上高いときに開状態になり、回収口４９から流入口５７へ向かって流体を流し、その逆に、所定値以上高くないとき(流入口５７の圧力が回収口４９側の圧力よりも高いときを含む)には閉状態になり、流入口５７から回収口４９へ向かう方向には流体が流れないようになっている。
【００４０】
即ち、開状態のときは、発煙用液体４５と空気のいずれか一方から成る流体と、発煙用液体４５と空気との両方から成る流体は、回収用逆止弁５１を通過して、回収口４９から流入口５７へ到達することができ、その逆方向には閉状態になるから、いずれの流体も回収用逆止弁５１を通過できない。
従って、閉状態のときは、回収口４９上に存する発煙用液体４５は、自重だけでは液体タンク１３内に移動できない。
【００４１】
回収口４９から流入口５７へ流体を移動させる手順を説明すると、先ず、回収パイプ５３の場合と同様に、供給パイプ５４には、供給用逆止弁５２が設けられており、供給用逆止弁５２は、流出口５８側の圧力が供給口４８側の圧力よりも所定値以上高いときに開状態になり、流出口５８から供給口４８に流体を流し、その逆に、所定値以上高くないとき(供給口４８側の圧力が流出口５８側の圧力よりも高いときを含む)には閉状態になり、供給口４８から流出口５８へ向かう方向へは流体は流れない。
【００４２】
流出口５８は、液体タンク１３の底部に形成されており、液体タンク１３の内部の圧力が、気流検査器１０の周囲雰囲気の大気圧よりも大きくなったときでも、液体タンク１３の内部に発煙用液体４０が存するときは、空気４１は流出口５８から供給パイプ５４の内部には進入せず、発煙用液体４０だけが、液体タンク１３から、供給用逆止弁５２を通って、発煙用液体４０が、蒸発装置３１の内部に供給される。
【００４３】
上述したように、圧力が逆方向で閉状態のときは、発煙用液体４５も空気も回収用逆止弁５１を通過できない。従って、先ず、電源装置５６によって加熱装置３２に通電して加熱装置３２を所定温度に昇温させておき、次に、弾性部２２に押圧力を印加し、圧縮変形させて、液体タンク１３の内部を、気流検査器１０の周囲雰囲気である大気圧よりも大きくして回収用逆止弁５１を閉状態、供給用逆止弁５２を開状態にし、液体タンク１３の内部の発煙用液体４０を蒸発装置３１に供給させると、発煙装置１４の内部で蒸気が生成され、放出口３６から放出される。
【００４４】
発煙させる際に、蒸発装置３１の内部の発煙用液体４２が、一定速度(減少した体積／時間)で蒸発している場合には、弾性部２２への一定の押圧力の印加を維持し、同じ速度で発煙用液体４０を供給するようにすることができる。
弾性部２２に押圧力を印加し続けると、弾性部２２の体積は減少し続け、液体タンク１３の内部が、周囲の大気圧よりも所定値以上高い状態が維持される。
【００４５】
従って、長時間継続して蒸発させるために、弾性部２２に押圧力を長時間印加して供給用逆止弁５２が開状態であった場合には、回収用逆止弁５１は閉状態になっており、発煙用液体４４の液滴が発煙筒１２の底面に落下しても回収されず、発煙筒１２の底面には、発煙用液体４５の液溜まりが形成される。
【００４６】
弾性部２２の内部は、接続口２４によって液体タンク１３の内部と接続されている他は閉塞されており、弾性部２２に印加されていた押圧力が消滅し、変形された弾性部２２が復元力によって元の形状に戻ろうとするときに、弾性部２２には、液体タンク１３の内部の流体を吸引する吸引力が発生する。
【００４７】
そして液体タンク１３の内部の流体が弾性部２２に吸引されて、液体タンク１３の内部の圧力は低下し、気流検査器１０の周囲雰囲気の大気圧よりも所定値以上低くなると、供給用逆止弁５２は閉状態で、回収用逆止弁５１は開状態になる。
発煙筒１２の底面上の発煙用液体４５は、弾性部２２が吸引する流体の体積よりも少量であり、液体タンク１３は、発煙筒１２の底面上の発煙用液体４５に加え、大気中の空気も回収口４９から吸引する。
【００４８】
このように、発煙筒１２の底面の発煙用液体４５は、自重ではなく、液体タンク１３内の圧力と大気圧との圧力の差圧によって液体タンク１３内に移動する。回収口４９から移動された発煙用液体は、他の発煙用液体４０と混合された状態で発煙装置１４に供給され、蒸発されるので、再使用されたことになる。
【００４９】
上述した流出口５８は、液体タンク１３の底面に位置しているので、液体タンク１３の内部に発煙用液体４０が存している場合は、流出口５８から流出する流体には空気４１は含まれず、発煙用液体４０だけが流出して発煙装置１４に供給される。
【００５０】
他方、接続口２４と流入口５７とは、放出口３６を上方に向けて気流検査器１０を把持したときに、流出口５８よりも上方に位置するようにされており、特に、接続口２４については、液体タンク１３の内部に規定量の発煙用液体４０を入れた場合に、放出口３６を上方に向けて気流検査器１０を把持すると、発煙用液体４０の液面よりも上方に位置し、弾性部２２が流体を吸引する際には、弾性部２２の内部には、発煙用液体４０の液面の上方に位置する空気４１だけが移動するようになっている。但し、接続口２４が液面よりも下方に位置し、弾性部２２に、発煙用液体４０だけが流体として吸引されたり、発煙用液体４０と空気４１の混合物が吸引されてもよい。
【００５１】
次に、回収用逆止弁５１と供給用逆止弁５２の位置については、傾けたときに、回収パイプ５３のうち回収口４９と回収用逆止弁５１と間の部分の中の発煙用液体と、供給パイプ５４のうちの供給口４８と供給用逆止弁５２との間の部分の中の発煙用液体とは、回収用逆止弁５１や供給用逆止弁５２を通らずにこぼれ落ちてしまうため、回収用逆止弁５１は回収口４９にできるだけ近い位置に設け、供給用逆止弁５２は供給口４８にできるだけ近い位置に設けると、気流検査器１０を傾けたときに、回収パイプ５３や供給パイプ５４内からこぼれ落ちる発煙用液体を少なくすることができる。
【００５２】
例えば、回収用逆止弁５１と供給用逆止弁５２とを、放出口３６を真上に向けたときに、それぞれ回収口４９と供給口４８との真下に位置するようにし、それぞれ回収口４９と供給口４８に直結させると良い。
また、弾性部２２が圧縮変形して吐出する流体は、弾性部２２の内部に存する流体であるから、吐出される流体は、空気だけのときと、発煙用液体４０だけのときと、それらの混合物のときのいずれであってもよい。
【００５３】
なお、本発明には、上記の気流検査器１０のように、回収口４９上に存する発煙用液体４５を弾性部２２の吸引力によって、空気と共に液体タンク１３の内部に入る場合の他、回収口４９から、自重で回収パイプ５３と回収用逆止弁５１及び流入口５７を通って、回収口４９上の発煙用液体４５が液体タンク１３内に回収される場合も含まれる。
【００５４】
いずれにしろ、発煙装置１４と液体タンク１３とは、筺体１１に固定されており、気流の測定をしようとして発煙筒１２を傾けるために筺体１１を傾けたときには、発煙筒１２と筺体１１と一緒に、液体タンク１３、蒸発装置３１等とが傾けられる。
そのとき、発煙筒１２の底面の液溜まりは液体タンク１３内に既に回収されていれば、発煙筒１２の底面上の発煙用液体４５が放出口３６からこぼれ落ちることはない。
【００５５】
なお、上記弾性部２２は、ゴム製で内部中空の球状バルブであり、直接手で押圧して圧縮させたり、プラスチックスや金属等で構成された梃子を利用して梃子の力点となる部分を手で押圧して、弾性部２２を圧縮させることができる。
また、上記送液装置２０は、人手を利用するものであったが、本発明は、弾性部２２に代え電動式の送液ポンプを用いて送液装置を構成することもできる。
【００５６】
上記液体タンク１３には、発煙用液体４０を入れる為の貫通孔が設けられているが、本気流検査器１０を使用する際には、貫通孔はゴム栓等で塞がれて、発煙用液体４０がこぼれ落ちることがないようにされている。
【符号の説明】
【００５７】
１０……気流検査器
１２……発煙筒
１３……液体タンク
１４……発煙装置
２０……送液装置
２４……接続口
３１……蒸発装置
３２……加熱装置
４０、４２、４５……発煙用液体
４８……供給口
４９……回収口
５７……流入口
５８……流出口
５１……回収用逆止弁
５２……供給用逆止弁
５３……回収パイプ
５４……供給パイプ
【図１】
2015059871.tif 000003
【図２】
2015059871.tif 000004
【図３】
2015059871.tif 000005